(57)【要約】【課題】消費電力や発生電力の使用量の予測を、乗りかごもしくは例えばエレベータホールのような利用に供する位置に表示することで、利用者に対して省エネルギーを明示することができるエレベータシステムを提供すること。【解決手段】エレベータシステムは、昇降路内を昇降する乗りかご１と、乗りかご１を吊るロープ２と、乗りかご１とつるべ式になるようにロープ２に連結された重り３と、ロープ２を送り動作させて乗りかご１を昇降させる巻上機４と、巻上機４を駆動するインバータコンバータ６と、インバータコンバータに供給される電力を測定する測定器１１と、測定器１１により電力を測定した測定結果を、乗りかご１と乗りかご１の乗車口の少なくとも一方に表示するための表示装置１２Ｂ、１２Ｃと、を備える。【選択図】図１
2009196789.tif 000002
【特許請求の範囲】
【請求項１】
昇降路内を昇降する乗りかごと、
前記乗りかごを吊るロープと、
前記乗りかごとつるべ式になるように前記ロープに連結された重りと、
前記ロープを送り動作させて前記乗りかごを昇降させる巻上機と、
前記巻上機を駆動するインバータコンバータと、
前記インバータコンバータに供給される電力を測定する測定器と、
前記測定器により前記電力を測定した測定結果を、前記乗りかごと前記乗りかごの乗車口の少なくとも一方に表示するための表示装置と、
を備えることを特徴とするエレベータシステム。
【請求項２】
前記乗りかごの積載を測定する積載測定装置と、
前記乗りかごの乗客が行き先階を登録するための乗りかご呼び登録装置と、
前記行き先階と現在の前記乗りかごの位置との間の距離により前記乗りかごの移動距離を計算して、前記乗りかごの前記積載と前記乗りかごの前記移動距離により消費すると予測される消費予測電力もしくは発生すると予測される発生予測電力を演算する演算処理装置と、を有し、
前記演算処理装置により演算された前記消費予測電力と前記発生予測電力が、前記表示装置に表示されることを特徴とする請求項１に記載のエレベータシステム。
【請求項３】
少なくとも１箇所の特定の階には、前記乗客が行きたい方向を登録する登録装置を有し、
前記乗りかごの呼び登録が無く停止している場合に前記乗りかごが停止している位置と前記特定の階までの移動時に消費もしくは発生すると予測される第１電力と、前記特定の階から前記乗客が登録した方向の予め定められた階へ移動する際の移動距離と積載により消費もしくは発生すると予測される第２電力との和を、前記演算処理装置で計算して、
前記第１電力と前記第２電力の和が、前記表示装置に表示されることを特徴とする請求項２に記載のエレベータシステム。
【請求項４】
前記表示装置は、前記乗りかごに乗車する前記乗客の人員数に比例した数の表示部分を有し、前記消費もしくは発生すると予測される電力により前記表示部分には異なる表示形態で表示されることを特徴とする請求項３に記載のエレベータシステム。
【請求項５】
前記乗りかごが一定の移動方向に移動中であり、前記特定の階については前記乗りかごが前記移動方向に対して通過する前で、前記特定の階の前記乗客が前記乗りかごの前記移動方向と同じ方向に乗車したいと想定した場合には、
前記乗りかごの積載を測定する前記積載測定装置からの第１積載と、前記特定の階において予測される第２積載との和を演算して、前記積載の和により消費もしくは発生すると予測される電力を前記演算処理装置で計算して、
前記演算処理装置で計算された前記消費もしくは発生すると予測される電力が、前記表示装置に表示されることを特徴とする請求項３に記載のエレベータシステム。
【請求項６】
前記乗りかごが下方への移動方向に移動中であり、前記特定の階については前記乗りかごが前記下方への移動方向に対して通過する前で、前記特定の階の前記乗客が前記下方への移動方向に乗車したいと想定した場合に、前記表示装置には、前記電力の消費もしくは発生に関係なく、前記乗客に対して前記乗りかごへの乗車を促すための乗車促進表示が表示されることを特徴とする請求項３に記載のエレベータシステム。
【発明の詳細な説明】
【技術分野】
【０００１】
本発明は、エレベータシステムに関し、特にエレベータの使用電力の予測表示ができるエレベータシステムに関する。
【背景技術】
【０００２】
一般的に、エレベータの乗りかごは、ロープを介して反対側にカウンターウエイトを配置したつるべ式となっている。乗りかご自体の重量と乗客の積載重量の和が、反対側のカウンターウエイトよりも重い状態である時に乗りかごが上昇する場合には、巻上機は電力を消費する。逆に、乗りかご自体の重量と乗客の積載重量の和が、反対側のカウンターウエイトよりも軽い状態である時に乗りかごが上昇する場合には、巻上機は電力を発生（回生）する。
【０００３】
上述したように電力を消費する場合には、電源設備からインバータ等を用いて電力を巻上機のモータに供給するが、逆に電力を発生した場合には、モータからインバータコンバータを介して電源設備に対して電力を返すことになる。
【０００４】
このようなエレベータ技術に関連する従来の技術としては、特許文献１に開示されており、エレベータかごの昇降用モータの回生エネルギーをキャパシタに吸収して蓄電して、この蓄電した回生エネルギーはモータの力行電力のための補給電力として用いている。
【特許文献１】特開平１１―２９９２７５号公報
【発明の開示】
【発明が解決しようとする課題】
【０００５】
しかし、特許文献１に開示された技術では次のような問題を解消できない。
【０００６】
利用者が建て屋内で上方向にあるいは下方向に移動する場合には、エレベータと階段を併用することが多く、省エネルギーの観点からは、利用者は近い階床であればエレベータではなく階段を使用した方が良いとの認識がある。
【０００７】
しかしながら、コンバータを用いたエレベータシステムは、動作をする際に必ずしも全ての使用状態において電力を消費するばかりではなく、ある使用状態では電力を発生することもある。従って、ある種の使用状態では、利用者が建て屋内で上方向にあるいは下方向に移動する場合に階段ではなくエレベータを使った方が、電力を発生して電源設備に電力を返すことができるので、結果としては省エネルギー効果が生じる場合がある。
【０００８】
ただし、これまではある使用状態では利用者が建て屋内で上方向にあるいは下方向に移動する場合にエレベータを積極的に使った方が電力を発生して省エネルギー効果を発生することは、利用者にはあまり知られていない。しかも、利用者はエレベータを利用する際に電力を発生して省エネルギー効果を発生している現象を具体的に目視することができなかった。
【０００９】
そこで、本発明は上記課題を解決するためになされたものであり、本発明の目的は、消費電力や発生電力の使用量の予測を、乗りかごもしくは例えばエレベータホールのような利用に供する位置に表示することで、利用者に対して省エネルギーを明示することができるエレベータシステムを提供することができる。
【課題を解決するための手段】
【００１０】
本発明のエレベータシステムの第１の態様は、昇降路内を昇降する乗りかごと、
前記乗りかごを吊るロープと、
前記乗りかごとつるべ式になるように前記ロープに連結された重りと、
前記ロープを送り動作させて前記乗りかごを昇降させる巻上機と、
前記巻上機を駆動するインバータコンバータと、
前記インバータコンバータに供給される電力を測定する測定器と、
前記測定器により前記電力を測定した測定結果を、前記乗りかごと前記乗りかごの乗車口の少なくとも一方に表示するための表示装置と、
を備えることを特徴とする。
【００１１】
本発明のエレベータシステムの第２の態様は、前記乗りかごの積載を測定する積載測定装置と、
前記乗りかごの乗客が行き先階を登録するための乗りかご呼び登録装置と、
前記行き先階と現在の前記乗りかごの位置との間の距離により前記乗りかごの移動距離を計算して、前記乗りかごの前記積載と前記乗りかごの前記移動距離により消費すると予測される消費予測電力もしくは発生すると予測される発生予測電力を演算する演算処理装置と、を有し、
前記演算処理装置により演算された前記消費予測電力と前記発生予測電力が、前記表示装置に表示されることを特徴とする。
【００１２】
本発明のエレベータシステムの第３の態様は、少なくとも１箇所の特定の階には、前記乗客が行きたい方向を登録する登録装置を有し、
前記乗りかごの呼び登録が無く停止している場合に前記乗りかごが停止している位置と前記特定の階までの移動時に消費もしくは発生すると予測される第１電力と、前記特定の階から前記乗客が登録した方向の予め定められた階へ移動する際の移動距離と積載により消費もしくは発生すると予測される第２電力との和を、前記演算処理装置で計算して、
前記第１電力と前記第２電力の和が、前記表示装置に表示されることを特徴とする。
【００１３】
本発明のエレベータシステムの第４の態様は、前記表示装置は、前記乗りかごに乗車する前記乗客の人員数に比例した数の表示部分を有し、前記消費もしくは発生すると予測される電力により前記表示部分には異なる表示形態で表示されることを特徴とする。
【００１４】
本発明のエレベータシステムの第５の態様は、前記乗りかごが一定の移動方向に移動中であり、前記特定の階については前記乗りかごが前記移動方向に対して通過する前で、前記特定の階の前記乗客が前記乗りかごの前記移動方向と同じ方向に乗車したいと想定した場合には、
前記乗りかごの積載を測定する前記積載測定装置からの第１積載と、前記特定の階において予測される第２積載との和を演算して、前記積載の和により消費もしくは発生すると予測される電力を前記演算処理装置で計算して、
前記演算処理装置で計算された前記消費もしくは発生すると予測される電力が、前記表示装置に表示されることを特徴とする。
【００１５】
本発明のエレベータシステムの第６の態様は、前記乗りかごが下方への移動方向に移動中であり、前記特定の階については前記乗りかごが前記下方への移動方向に対して通過する前で、前記特定の階の前記乗客が前記下方への移動方向に乗車したいと想定した場合に、前記表示装置には、前記電力の消費もしくは発生に関係なく、前記乗客に対して前記乗りかごへの乗車を促すための乗車促進表示が表示されることを特徴とする。
【発明の効果】
【００１６】
本発明のエレベータシステムによれば、消費電力や発生電力の使用量の予測を、乗りかごもしくは例えばエレベータホールのような利用に供する位置に表示することで、利用者に対して省エネルギーを明示することができる。
【発明を実施するための最良の形態】
【００１７】
以下、本発明の実施の形態について図面を参照して詳細に説明する。
【００１８】
（第１の実施の形態）
図１は、本発明のエレベータシステムの好ましい第１実施形態を示すシステム構成図である。
【００１９】
図１に示すエレベータシステムは、昇降路内を昇降可能であり乗客Ｍが乗車するための乗りかご１と、ロープ２と、吊り合い重りとしてのカウンターウエイト３と、巻上機４と、インバータコンバータ制御装置６と、測定器としての電力計１１と、表示装置１２Ｂ、１２Ｃを有している。
【００２０】
図１に示すように、乗りかご１は、ロープ２の一端部２Ｂに連結され、カウンターウエイト３はロープ２の他端部２Ｃに連結されている。ロープ２は巻上機４に吊り下げられている。すなわち、乗りかご１は、ロープ２を介してカウンターウエイト３に対して反対側に配置されており、乗りかご１とカウンターウエイト３は巻上機４を用いてロープ２により吊ることで、つるべ式に重量的に吊り合いを取って設置されている。
【００２１】
図１に示すように、巻上機４は、ロープ２を送り動作させて乗りかご１を、昇降路内で昇降させる駆動部であり、電動モータ７を有している。設備側の電源５は、電源ライン８を通じてインバータコンバータ制御装置６に接続されている。
【００２２】
図１に示すように、インバータコンバータ制御装置（インバータコンバータとも言う）６は、商用の交流電源を整流器によって直流電力に変換して、この直流電力を可変電圧の交流電力に変換して制御する制御装置であり、インバータコンバータ制御装置６は、接続ライン９を介して巻上機４の電動モータ７に接続されている。これにより、巻上機４の電動モータ７は、設備側の電源５から供給される商用の交流電力をインバータコンバータ制御装置６により制御することで動作される。
【００２３】
電源ライン８には、電力計１１が設置されている。電力計１１は、電源５側から巻上機４へ供給される力行電力もしくは、巻上機４側から電源５側へ供給される回生電力を測定する測定器である。
【００２４】
例えば、乗りかご１の内部には表示装置１２Ｂが設置されており、エレベータホール１０の任意の位置、例えば乗りかご１の乗車口には表示装置１２Ｃが設置されている。図１の例では、表示装置１２Ｂ、１２Ｃの両方が設置されているが、いずれか一方を設置するようにしても良い。
【００２５】
表示装置１２Ｂ、１２Ｃは電力計１１に接続されている。表示装置１２Ｂ、１２Ｃとしては、例えば液晶表示装置、有機エレクトロルミネッセンス装置、プラズマ表示装置等を採用することができるが、特に種類に限定はされない。表示装置１２Ｂ、１２Ｃは、例えば電力計１１により測定される電力量と、力行電力であるか回生電力であるかを表示することができる。
【００２６】
このように本発明のエレベータシステムの第１実施形態は、消費予測電力や発生予測電力の電力量を、乗りかご１内もしくは例えばエレベータホールのような乗客Ｍの利用に供する位置に表示することで、乗客Ｍに省エネルギー効果を明示することができる。このため、本発明のエレベータシステムの第１実施形態は、乗客を、省エネルギーを促すような行動に導くことができる。
【００２７】
（第２の実施の形態）
次に、本発明における第２実施形態を、図２を参照して説明する。なお、第２実施形態においては、上述の第１実施形態において説明した構成要素と同一の構成要素には同一の符号を付し、同一の構成要素の説明は重複するので省略する。
【００２８】
本発明の第２実施形態においては、第１実施形態におけるエレベータシステムに対してさらに次の構成要素が加えられている。
【００２９】
図２に示すように、乗りかご１には、乗客Ｍの積載荷重を測定する測定器２１が設置されている。この測定器２１はこの乗客Ｍの積載荷重を測定する積載測定装置である。測定器２１はこの乗客Ｍの積載荷重を測定することで乗りかご１の積載重量を測定でき、乗りかご１の積載の測定結果は、演算処理装置としての演算器２２に入力される。これにより、演算器２２は乗りかご１の乗客Ｍの積載重量を簡単に確実に得ることができる。
【００３０】
また、乗りかご１内には、乗りかご１を目的階まで移動させるための乗りかご呼び登録釦２３が設置されている。この乗りかご呼び登録釦２３は、乗りかご１内の乗客Ｍが行き先階を登録するための乗りかご呼び登録装置の一例である。
【００３１】
図２に示すように、演算器２２には、各階床間の距離および乗りかご１の積載による電力パターン２４が予め記憶されている。電力パターン２４の縦軸は電力を示し、横軸は移動距離を示しており、電力が移動距離により変化する様子を示している。この電力パターン２４の例では、最初に大きな電力が必要となり、その後電力は一定になり最終的にはさらに小さくなってゼロになる。
【００３２】
図２に示すように、乗客Ｍが乗りかご呼び登録釦２３を押して階を指定すると、演算器２２は乗りかご呼び登録釦２３に押された呼び登録階Ｆと、現在乗りかご１が位置している現在の階Ｆ１との移動距離２５を計算する。また、演算機２２は測定器２１からの乗客Ｍの積載荷重と電力パターン２４から移動距離２５を考慮して電力量を導き出す。すなわち、演算器２２は、行き先階である呼び登録階Ｆと現在の乗りかご１の位置である現在の階Ｆ１との間の距離から乗りかご１の移動距離２５を計算して、乗りかご１の積載量と乗りかご１の移動距離２５により消費予測電力量もしくは発生すると予測される発生予測電力量を演算する。
【００３３】
演算器２２は、表示装置１２Ｂ、１２Ｃに接続されており、演算器２２が演算した消費予測電力量もしくは発生予測電力量を、乗客Ｍに対してデジタル表示で数値的に表示するか、もしくは複数の表示部分を用いて２段階以上の複数段階に細分して表示させることができる。表示装置１２Ｂな乗りかご１内に設置され、表示装置１２Ｃは各階のエレベータホールの乗車口に設置されている。これにより、演算器２２は、例えば表示装置１２Ｂ、１２Ｃを用いて、乗客Ｍに対して消費予測電力量もしくは発生予測電力量を、デジタル表示の数値もしくは２段階以上の複数段階に細分して明示することができる。
【００３４】
従って、表示装置１２Ｂ、１２Ｃの少なくとも一方は、電力計１１からの電力量と力行電力であるか回生電力であるかを表示することができるばかりでなく、消費電力量もしくは発生予測電力量を数値表示、もしくは２段階以上の複数段階に細分して表示することができる。
【００３５】
このように本発明のエレベータシステムの第２実施形態は、消費予測電力や発生予測電力の使用量を、乗りかご１内もしくは例えばエレベータホールのような乗客Ｍの利用に供する位置に表示することで、乗客Ｍに省エネルギー効果を明示することができる。このため、本発明のエレベータシステムの第２実施形態は、乗客を、省エネルギーを促すような行動に導くことができる。
【００３６】
（第３の実施の形態）
次に、本発明における第３実施形態を、図３を参照しながら説明する。なお、第３実施形態においては、上述の第１実施形態と第２実施形態において説明した構成要素と同一の構成要素には同一の符号を付し、同一の構成要素の説明は重複するので省略する。
【００３７】
本発明の第３実施形態においては、第２実施形態におけるエレベータシステムに対して次に説明する構成要素が加えられている。
【００３８】
一般的に、図３に示すようなカウンターウエイト３は、乗りかご１の積載が乗りかご１の定員の半分程度の時に重量的に吊り合うように設定されており、第３実施形態では、カウンターウエイト３と乗りかご１の積載が、乗りかご１の定員の半分程度の時に吊り合うと仮定して、以下に説明する。
【００３９】
図３では、エレベータシステムの動作を説明するために、建て屋における乗りかご１の停止階３３と、この停止階３３の上の特定の階３１と、特定の階３１の上の目的階３４を示している。
【００４０】
図３に示す乗りかご１が、ある停止階３３に停止中であってしかも乗りかご１に乗客Ｍが乗っていない状態の時に、乗客Ｍがある特定の階３１のエレベータホールにおいて乗り場呼び登録装置３２を押して呼びを発生させた場合を説明する。乗り場呼び登録装置３２は、エレベータホールにいる乗客Ｍが行きたい方向を登録するための登録装置である。
【００４１】
この場合には、乗り捨てられた停止階３３から呼ばれる特定の階３１までの間では、乗りかご１には乗客Ｍが乗っておらず乗りかご１の積載が全くないので、電動モータ７は回生電力を発生する。演算器２２はこの乗りかご１の積載が全くなく回生電力を発生する運転パターンより、第１電力量Ｗ１を演算する。すなわち、第１電力量Ｗ１は、乗りかご１の呼び登録が無く停止している場合に乗りかご１が停止している位置の停止階３３と特定の行き先階３１までの移動時に発生すると予測される発生予測電力である。
【００４２】
次に、図３において、乗りかご１が呼ばれる特定の階３１からさらに上方向に移動する場合を説明する。この場合には、乗りかご１の積載が半分以下であれば、この乗りかご１の積載は乗りかご１の積載量が吊り合う想定よりも少ないことから、乗りかご１の積載量に応じて回生電力を発生する。ただし、一般的に、乗り場呼び登録装置３２は、上方向もしくは下方向の選択釦であり、呼びを発生させた乗客（利用客）Ｍがどの階まで行くかは、演算器２２は現時点では認識できない。このように呼びを発生させた乗客Ｍがどの階まで行くかを認識できない場合には、演算器２２は１階床上もしくはこれまでの利用状況から導き出した平均値を考慮して、呼びを発生させた階を目的階３４であると想定する。これにより、演算器２２は、乗りかご１が特定の階３１から上方向に移動して目的階３４に移動する際の回生電力を、第２電力量Ｗ２として演算する。そして、乗客Ｍが呼びを発生させてから乗りかご１が、特定の階３１から目的階３４までの移動する間に、一連のエレベータ運転により発生する合計の予測電力量ＷＳは、上述した第１電力量（回生電力量）Ｗ１と第２電力量（回生電力量）Ｗ２の和で求めて予測電力量とすることができる。
【００４３】
ところで、乗りかご１が呼ばれる特定の階３１からさらに上方向に移動する場合であっても、乗りかご１の積載が定員の半分以上である時には、この乗りかご１の積載は乗りかご１の積載量が吊り合う想定よりも多いことから電力を消費して消費電力を発生することになる。この時の消費電力は第３電力量Ｗ３であり乗りかご１の積載の大きさにより決定される。この際に、消費電力量である第３電力量Ｗ３が、回生電力量である第１電力量Ｗ１よりも少なければ、停止階３３から特定の行き先階３１を経て目的階３４に移動する一連のエレベータ運転による電力は回生電力となる。しかし、消費電力量である第３電力量Ｗ３が、回生電力量である第１電力量Ｗ１よりも多ければ、停止階３３から特定の行き先階３１を経て目的階３４に移動する一連のエレベータ運転による電力は消費電力になってしまう。
【００４４】
一方、図３において、乗りかご１がある特定の階３１よりも下の停止階３３に停止中であり、特定の階３１における乗客Ｍのエレベータホールの呼びが下方向である場合であっても、乗りかご１が最初の呼びで停止階３３から特定の階３１まで上方向に移動するので回生電力である第１電力量Ｗ１を発生する。この際に、乗りかご１の積載が特定の階３１において乗りかご１の積載が定員の半分以下である場合には、この乗りかご１の積載は乗りかご１の積載量が吊り合う想定よりも少ないことから電力は消費電力である第３電力量Ｗ３となる。逆に、乗りかご１の積載が乗りかご１の定員の半分以上であれば乗りかご１の積載量が吊り合う想定よりも多いことから電力は回生電力である第２電力量Ｗ２となる。従って、この一連のエレベータ運転により発生する合計の電力量ＷＳは、第１電力量Ｗ１と第２電力量Ｗ２の和、もしくは第１電力量Ｗ１と第３電力量Ｗ３の和として求めて予測電力量とすることができる。
【００４５】
上述した一連のエレベータ運転により発生する合計の予測電力量ＷＳと、第１電力量Ｗ１，第２電力量Ｗ２，第３電力量Ｗ３は、図３に示す表示装置１２Ｂ、１２Ｃの少なくとも一方に表示することができる。
【００４６】
上述した例では、乗りかご１がある特定の階３１よりも下の停止階３３に停止中で乗りかご１には乗客Ｍが乗っていない状態の場合を説明した。しかし、図３に示す乗りかご１がある特定の階３１よりも上の階で停止中で乗りかご１には乗客Ｍが乗っていない状態の場合にも、同様な計算を行うことにより、乗りかご１の積載量により電力を発生する回生電力であるか電力を消費する消費電力であるかを計算して予測電力量ＷＳとすることができる。この予測電力量ＷＳは、同様にして表示装置１２Ｂ、１２Ｃの少なくとも一方に表示することができる。
【００４７】
以上は、ある特定の階３１を例に上げて特定の階３１のみの説明を行ったが、全階床毎に表示装置１２Ｃを設置することにより、各表示装置１２Ｃは予測電力量ＷＳ、第１電力量Ｗ１，第２電力量Ｗ２，第３電力量Ｗ３を各階床毎に表示することができる。これにより、表示装置１２Ｃは、乗客Ｍに対して、エレベータを使用するのかあるいは階段等の別の移動用の手段を利用するのかを、省エネルギーの観点から判断するための情報を与えることができる。
【００４８】
図３に例示するように、表示装置１２Ｃの表示形式としては、乗りかご１の移動方向を上方向と下方向に分けて、そして乗りかご１の定員を表現した例えばドット表示や○表示などの部分表示器を人数分もしくは人数分に比例した数だけ配置することができる。図３に例示するように、表示装置１２Ｃは、演算器２２により演算された回生電力表示３６と力行電力表示３７を、区別して認識しやすくするために表示色を相互に変えたり、表示する形態を相互に異なるようにすることができる。
【００４９】
これにより、表示装置１２Ｃは、乗客Ｍに対して乗りかご１の移動方向が上方向であるか下方向であるかの明示と、乗りかご１の定員の明示、そして演算された回生電力３６と力行電力３７の明示をして乗客Ｍに的確に認識させることができる。
【００５０】
このように本発明のエレベータシステムの第３実施形態は、消費予測電力や発生予測電力の使用量を、乗りかご１内もしくは例えばエレベータホールのような乗客Ｍの利用に供する位置に表示することで、乗客Ｍに省エネルギー効果を明示することができる。このため、本発明のエレベータシステムの第３実施形態は、乗客を、省エネルギーを促すような行動に導くことができる。
【００５１】
（第４の実施の形態）
次に本発明における第４実施形態を、図４を参照して説明する。なお、第４実施形態においては、上述の第３実施形態において説明した構成要素と同一の構成要素には同一の符号を付し、同一の構成要素の説明は重複するので省略する。
【００５２】
図４に示すように、本発明の第４実施形態においては、乗りかご１が下から上方向に移動中で、乗りかご１がある特定の階３１よりも下に位置する場合に、特定の階３１で乗客Ｍの呼び動作が有効動作となるのは、エレベータホールの乗客（利用客）Ｍが上方向の呼び登録釦４１を押した時である。下方向の呼び登録釦４２による呼び動作は上方向の呼び登録釦４１による呼び動作が全て対応された後となるために、演算器２２は下方向の呼び登録釦４２を押しただけでは、電力の計算は行わない。
【００５３】
そして、図４に示すように、上方向の呼び登録釦４１の場合に、演算部２２は、乗りかご１に乗車中の積載を荷重の測定器２１により測定して、演算部２２は、測定器２１から得られる乗りかご１の積載と、特定の階３１のエレベータホールから乗り込む乗客Ｍの重量の和が、乗りかご１の定員の半分以下であれば回生電力と判断するが、乗りかご１の定員の半分以上であれば力行電力と判断する。この測定器２１は乗りかご１の積載を測定するための積載測定装置である。
【００５４】
例えば、エレベータホールの表示装置１２Ｃは、回生電力を発生しているか、力行電力としての消費電力であるかを、乗りかご１内の乗客Ｍとエレベータホールの乗客Ｍに対して明示することができる。乗りかご１の積載が定員の半分以上であればエレベータホールの表示装置１２Ｃは、力行電力をエレベータホールの乗客Ｍに対して明示することができる。この表示は、乗りかご１内の表示装置１２Ｂにおいても行っても良い。
【００５５】
同様に、図４において、上述した場合とは逆に、乗りかご１が上から下方向に移動中で、乗りかご１がある特定の階３１よりも上に位置する場合に、エレベータホールの乗客Ｍの呼び登録動作が有効となるのは下方向の呼び登録釦４２である。下方向の呼び登録釦４２が押された場合には、演算器２２は、乗りかご１に乗車中の積載を荷重の測定器２１により測定して、演算器２２は、測定器２１から得られる乗りかご１の積載と、エレベータホールから乗り込む乗客Ｍの重量の和が、乗りかご１の定員の半分以上であれば回生電力と判断するが、乗りかご１の定員の半分以下であれば力行電力と判断する。
【００５６】
例えば、エレベータホールの表示装置１２Ｃは、回生電力を発生しているか、力行電力としての消費電力であるかをエレベータホールの乗客Ｍに対して明示することができる。乗りかご１の積載が乗りかご１の定員の半分以下であれば、エレベータホールの表示装置１２Ｃは、力行電力を乗客に対して明示することができる。この表示は、乗りかご１内の表示装置１２Ｂにも行っても良い。
【００５７】
このように、本発明の第４実施形態では、乗りかご１が上方向あるいは下方向に移動中であり、乗りかご１が特定の階３１に移動方向に対して通過する前に、特定の階３１の乗客が乗りかご１の移動方向と同じ方向に乗車したいと想定した場合に、乗りかご１の積載を測定する積載測定装置からの第１積載と、特定の階３１で新たに乗り込むと予測される乗客Ｍの第２積載との和を演算して、この積載の和により消費予測電力もしくは発生すると予測される発生予測電力を演算処理装置としての演算部２２で計算できる。そして、演算部２２で計算された消費予測電力もしくは発生予測電力が、表示装置１２Ｃ、１２Ｂの少なくとも一方に表示される。
【００５８】
これにより、本発明のエレベータシステムの第４実施形態は、消費予測電力や発生予測電力の使用量を、乗りかご１内もしくは例えばエレベータホールのような乗客Ｍの利用に供する位置に表示することで、乗客Ｍに省エネルギー効果を明示することができる。このため、本発明のエレベータシステムの第３実施形態は、乗客を、省エネルギーを促すような行動に導くことができる。
【００５９】
（第５の実施の形態）
次に本発明における第５実施形態を、図５を参照して説明する。なお、第５実施形態においては、上述の第３実施形態と図４実施形態において説明した構成要素と同一の構成要素には同一の符号を付し、同一の構成要素の説明は重複するので省略する。
【００６０】
図５に示す本発明の第５実施形態では、乗りかご１が上から下方向に移動中に、乗りかご１の積載が乗りかご１の定員の半分以下であれば電力は力行電力であるが、たとえこのように力行電力であっても乗りかご１の積載をさらに重くした方が、使用する電力を少なくすることができ、省エネルギーの観点から有効である。
【００６１】
このように省エネルギーの観点から、乗りかご１が上から下方向に移動中である場合には、乗りかご１の積載をさらに積極的に増やすために、エレベータホールの表示装置１２Ｃは、現時点の乗りかご１の積載状態にもかかわらず、エレベータホールで待っている乗客Ｍに対して、乗車促進のための乗車促進表示内容５１を表示する。すなわち、乗りかご１が下方への移動方向に移動中であり、乗りかご１が特定の階３１に下方への移動方向に対して通過する前に、特定の階３１の乗客が下方への移動方向に乗車したいと想定した場合には、表示装置１２Ｃは、電力の消費もしくは発生に関係なく、乗客Ｍに対して乗りかご１に乗車を促すための乗車促進表示内容５１を表示する。
【００６２】
これにより、本発明のエレベータシステムの第５実施形態は、乗客Ｍに対して省エネルギーのために乗車促進を図ることができ、乗客Ｍを、省エネルギーを促すような行動にさらに導くことができる。
【００６３】
なお、この発明は、上記実施の形態そのままに限定されるものではなく、実施段階ではその要旨を逸脱しない範囲で構成要素を変形して具体化できる。
【００６４】
さらに、本発明の上記実施形態に開示されている複数の構成要素を適宜組み合わせることにより種々の発明を形成できる。例えば、本発明の実施形態に示される全構成要素から幾つかの構成要素を削除してもよい。例えば、図１に示す例では、表示装置１２Ｂ、１２Ｃが乗りかご１の内部とエレベータホール１０の任意の位置にそれぞれ設けられている。しかし、これに限らず、表示装置は乗りかご１の内部とエレベータホール１０の任意の位置の一方に設けるようにしても良い。
【００６５】
更に、本発明の異なる実施形態に亘る構成要素を適宜組み合わせてもよい。
【図面の簡単な説明】
【００６６】
【図１】本発明のエレベータシステムの好ましい第１実施形態を示す図である。
【図２】本発明のエレベータシステムの好ましい第２実施形態を示す図である。
【図３】本発明のエレベータシステムの好ましい第３実施形態を示す図である。
【図４】本発明のエレベータシステムの好ましい第４実施形態を示す図である。
【図５】本発明のエレベータシステムの好ましい第５実施形態を示す図である。
【符号の説明】
【００６７】
１      乗りかご
２      ロープ
３      カウンターウエイト（重り）
４      巻上機
５      設備側の電源
６      インバータコンバータ（電力変換装置）
７      モータ
８      電源ライン
９      接続ライン
１１    電力計
１２Ｂ  表示装置
１２Ｃ  表示装置
２１    荷重の測定器
２２    演算器（演算処理装置に相当）
２３    乗りかごの呼び登録釦
２４    電力パターン
２５    乗りかごの移動距離
３１    特定階
３２    エレベータホールの呼び登録釦
３３    乗りかごの停止階
３４    目的階
３６    回生電力表示
３７    力行電力表示
４１    上方向のエレベータホール呼び登録釦
４２    下方向のエレベータホール呼び登録釦
５１    乗車促進表示内容
【図１】
2009196789.tif 000003
【図２】
2009196789.tif 000004
【図３】
2009196789.tif 000005
【図４】
2009196789.tif 000006
【図５】
2009196789.tif 000007